(57)【特許請求の範囲】
【請求項１】
ハウスの骨組みを形成する複数個の枠材(1)と、この枠材の外周に覆着されて栽培空間を画成するシートないしネット(4)と、このシートないしネットの一側縁に固定されて枠材(1)の外周に沿って回転移動することにより、当該シートないしネットを巻取り巻戻しする巻取り軸(6)とを備えた栽培ハウスの開閉装置において、
前記シートないしネットとともに巻取り軸(6)に巻取り巻戻しされる張力テープ(7)と、この張力テープに張力を付与する張力付与手段(9)とを備え、前記張力テープ(7)は巻取り軸(6)の巻取り下降時に当該巻取り軸に対してシートないしネット(4)の反対方向に延在することを特徴とする、栽培ハウスの開閉装置。
【請求項２】
張力テープ(7)が巻取り軸(6)の巻取り垂直上昇時に当該巻取り軸に対してシートないしネット(4)と同方向に延在する、請求項１記載の栽培ハウスの開閉装置。
【請求項３】
枠材(1)の頂部に張力テープ(7)の折り返しガイド(2c)を備えている、請求項１、２記載の栽培ハウスの開閉装置。
【請求項４】
張力付与手段(9)が動滑車(10)を介して張力テープ(7)に懸垂された錘(9)である、請求項１、２または３記載の栽培ハウスの開閉装置。
【請求項５】
巻取り軸(6)の端部に相対自由回転可能に軸支されたモータマウント(13)と、このモータマウントに搭載された巻取り軸駆動電動機と、一端がハウス端部の枠材の切妻面における幅方向中心上部に連結され、かつ他端がモータマウントに連結された伸縮ないし屈曲杆からなる反力受部材(22)を備えている、請求項１記載の栽培ハウスの開閉装置。
【発明の詳細な説明】
【０００１】
【発明の属する技術分野】
この発明は、枠材を透明シートで覆ったビニールハウスや防鳥ネットで覆った防鳥ハウスなどの栽培ハウスにおける前記シートやネットの開閉装置に関するもので、特に当該シートやネットの一側縁に固定した巻取り軸を手動ないし電動機で回転してシートやネットを巻取りまたは巻戻すことによってシートないしネットの開閉を行う開閉装置に関するものである。
【０００２】
【従来の技術】
栽培ハウスの透明シートや防鳥ネットを、その一側縁に固定した巻取り軸で巻き取ってハウスの開閉を行う開閉装置は公知である。温室栽培用のハウスは、そのシートの全部ないし一部を適時開閉して、ハウス内を所望の温度範囲に維持することが必要である。ハウスの開閉は、主としてこの目的のために行われるが、シートやネットを巻き取る構造の開閉装置は、ハウスの不使用時におけるシートやネットの損傷を防止するため、不使用時にシートやネットを巻き取った状態にしておくためにも利用される。
【０００３】
従来の巻取り型のハウス開閉装置は、１本の巻取り軸でハウスの片側のみのシートないしネットを巻取る構造である。これは、巻取り軸をシートやネットで懸吊した状態で動作させているためで、巻取り時に巻取り軸が上昇し、巻戻し時に巻取り軸が下降する構造となっているためである。従って、単棟式のハウスであっても、ハウスを全開するためにはハウスの両側に巻取り軸を配置することが必要であり、不使用時には巻取り軸とこれに巻かれたシートやネットがハウスの頂部に保持されることとなる。なお、シートやネットを枠材に押さえ付けている押さえバンドが設けられているときは、シートやネットの巻取り及び巻戻し時には押さえバンドが緩められ、巻取り軸が枠材と押さえバンドとの間を移動して、巻取り及び巻戻しを行う。
【０００４】
【発明が解決しようとする課題】
降雪地の冬期間など、ハウス栽培を行わないときは、シートやネットを屋内に保管するのが望ましいが、ハウスの使用開始に当たって、シートやネットを覆着する作業が大変である。近時は収穫を安定させるために、ハウス栽培が広く利用されているが、農業に従事する人の数は減少しており、しかも農作業は季節に合せて一斉に行われる。ハウスにシートやネットを覆着する作業もほとんどすべての農家で一斉に行われるが、就農人口が高齢化し、かつ小型のハウスでもシートやネットの覆着作業を一人で行うのは不可能で、大型のハウスでは数人の人手を必要とする。
【０００５】
そのため、ハウスの不使用時にシートやネットを取外して屋内に保管することが困難になってきており、ハウスに上記構造の巻取り式の開閉装置を取付けて、ハウス不使用時にはシートやネットを巻き取って放置し、ハウスの使用開始時にシートやネットを巻戻すという方法が多く用いられるようになってきている。
【０００６】
ところが、従来の構造では、巻き取ったシートやネットがハウスの頂部に保持される構造となり、しかもハウスの両側から巻き取られたシートやネットは、単棟式のハウスの頂部で２列に並んだ状態となり、通水性のないシートの場合には、ハウスの頂部に樋が形成されるような状態となる。このような保管状態では、降雨時に樋状になった部分に雨水が溜り、降雪時には巻き取られたシートやネットの上に雪が積もる。ハウスの骨組みは柱のない中間部分が最も弱く、通常のハウスはハウスの頂部がこの枠材の中間部分に位置しているため、雨水や積雪の重量あるいは風圧などによってハウスが倒壊する危険が大きい。
【０００７】
そこでこの発明は、不使用時に巻取り軸に巻装されたシートやネットを地表に近い低い位置に保持しておくことができ、巻き取った状態で雨水や雪の溜まり場となるおそれがなく、ハウスの使用開始時に一人の作業者で枠材へのシートやネットの覆着作業を行うことができ、ハウス使用時には、シートやネットの開度を自由に調整して保持することができ、かつ必要があれば、この開度調整をハウス内外の温度センサの信号により自動化することも容易に可能な栽培ハウスの開閉装置を得ることを課題としている。
【０００８】
【課題を解決するための手段】
この発明の栽培ハウスの開閉装置は、ハウスの骨組みを形成する複数個の枠材１と、この枠材の外周に覆着されて栽培空間を画成するシートないしネット４と、このシートないしネットの一側縁に固定されて枠材１の外周に沿って回転移動することにより、当該シートないしネットを巻取り巻戻しする巻取り軸６とを備えた栽培ハウスの開閉装置において、シートないしネット４とともに巻取り軸６に巻取り巻戻しされる張力テープ７と、この張力テープに張力を付与する張力付与手段９とを備え、張力テープ７は巻取り軸６の巻取り下降時に当該巻取り軸に対してシートないしネット４の反対方向に延在することを特徴とするものである。
【０００９】
巻取り軸６の巻取り下降時は、シートないしネット４が巻取り軸６から下方に向けて延在しており、巻戻し上昇時と同じである。
【００１０】
請求項２の発明は、上記手段を備えた栽培ハウスの開閉装置において、張力テープ７が巻取り軸６の巻取り垂直上昇時に巻取り軸６に対してシートないしネット４と同方向に延在することを特徴とするものである。
【００１１】
また請求項３の発明は、上記手段を備えた栽培ハウスの開閉装置において、枠材１の頂部に張力テープ７の折り返しガイド２ｃを備えていることを特徴とするものである。この折り返しガイド２ｃを設けることによって張力テープ７が巻取り軸６に向けてハウスの頂部から繰出しまたは繰戻される構造となり、巻取り下降時にシートないしネットと張力テープとが互いに反対方向に延在し、かつ巻取り上昇時にシートないしネットと張力テープとが同方向に延在する構成を簡単かつコンパクトに実現できる。
【００１２】
請求項４の発明は、上記手段を備えた栽培ハウスの開閉装置の張力付与手段９が、動滑車１０を介して張力テープ７に懸垂された錘９であることを特徴とするものである。動滑車を介して懸吊された錘を用いることにより、張力テープの繰出し長さに対する錘の昇降ストロークを１／２、１／３、１／４・・・とすることができ、ハウスの少なくとも一方の側の屋根と側壁に沿う長さの張力テープの繰出しストロークに対し、錘の昇降ストロークをハウスの高さ以下に抑えることができる。これにより、コンパクトな構成で張力テープに対する安定した張力の付与が可能になる。
【００１３】
巻取り軸６を電動機駆動とするときは、巻取り軸６の端部に相対自由回転可能に軸支されたモータマウント１３を設け、電動機をこのモータマウントに搭載する構造が現実的であるが、このときは、モータマウントが巻取り軸と共回りしないように反力受部材を設ける必要がある。請求項５の発明は、この反力受部材として、一端がハウス端部の枠材の切妻面における幅方向中心上部に連結され、かつ他端がモータマウントに連結された伸縮ないし屈曲杆からなる反力受部材２２を備えていることを特徴とするものである。
【００１４】
１本の巻取り軸がハウスの片側のみのシートないしネットを巻取る構造であれば、反力受部材の一端をハウスの下部に連結することができるが、この発明の構造のように、１本の巻取り軸でハウス全周のシートないしネットを巻取る構造では、反力受部材の一端をハウスの下方に連結すると、シートないしネットの開閉状態によって反力受部材がハウスの切妻面に設けられている出入口の通行を妨げる。
【００１５】
反力受部材をハウスの上部に連結しておけば、シートないしネットの開、閉及び半開のいずれの状態においても、反力受部材２２がハウスの扉の通行の妨げとなるのを回避できる。
【００１６】
張力テープ７は帯紐状のものであるが、できるだけ薄く強靭であるものが望ましい。張力テープ７に作用させる張力は、巻取り軸とこれに巻装されたシートないしネット（以下「巻装体」という）１２の位置によっても異なるが、巻取り軸６の巻取り下降領域、特に巻取り垂直下降領域では、巻装体１２の重量より大きな張力を巻装体１２に作用させることが必要である。張力テープ７は、巻取り軸６に撓みを生じさせない間隔でハウスの長手方向に沿って複数本設けることができ、この複数本の張力テープの張力の合計が巻装体１２の重量より大きくなるようにすればよい。
【００１７】
この発明の開閉装置では、巻取り軸６の巻取り下降時及び巻戻し上昇時に張力テープ７によって巻取りまたは巻戻されるシートないしネットに張力が付与されるため、シートないしネット４が巻装体１２より下方に向って延在する領域においても、巻装体１２の落下が防止できることはもちろん、シートやネット４に皺を生ずることなく、巻取り及び巻戻しをすることが可能になり、従って１本の巻取り軸に単棟式のハウスの全周のシートないしネットを巻き取ることが可能になるとともに、巻き取った状態で巻装体１２を地表近くに位置させることができ、この巻装体に防護カバーなどを掛けることも容易に可能であるから、ハウス不使用時におけるシートやネットの損傷をより確実に防止することができる。
【００１８】
また、巻装体が枠材の根元の地表面ないし強度の大きい柱の頂部や側部に保持されるため、巻装体に作用する風圧や積雪によってハウスの枠材が歪んだり倒壊したりするおそれがない。
【００１９】
【発明の実施の形態】
図１ないし図４は、この発明の第１実施例を示した図である。ハウスの枠材１は、逆Ｕ字ないし背の高いかまぼこ形で、ハウスの長手方向に所定間隔で並置され、並置された複数個の枠材１相互は、各枠材の内周または外周に所定間隔で固定した通し材２によって連結されて、ハウスの骨組みが形成されている。
【００２０】
ハウスの両側面の枠材の外側に固定された通し材２ａから下方の地中に向けて風除けのための固定のシート３が設けられている。これより上方の通し材２ｂは、すべて枠材１の内周側に固定されている。ハウスの枠材１に覆着される透明シート４は、その一側辺が図の左側の固定台５に固定され、枠材１の略全周を覆って、反対側の側縁に巻取り軸６が固定してある。従って透明シート４が枠材１の全周を覆っている状態では、巻取り軸６は透明シート４で懸吊された状態となっている。
【００２１】
この透明シート４の内側にハウスの長手方向に一定間隔に枠材の周方向に延びる張力テープ７が配置されている。そしてこの張力テープの配置位置には、ハウスの頂部を支えるようにガイドパイプ８が立設されており、このガイドパイプに中心に貫通孔を有する錘９が挿通されており、この錘９には、上方に向いた動滑車１０が取付けられている。
【００２２】
一方、ガイドパイプ８の頂端に近接して定滑車１１が設けられている。張力テープ７は基端がガイドパイプ８の頂部に固定され、動滑車１０及び定滑車１１を経て、他端が巻取り軸６に固定されている。張力テープ７は定滑車１１を通った後、これに隣接する通し材（この通し材が折返し材となっている）２ｃの下を通り、その後は通し材の外側を通って巻取り軸６に固定されている。
【００２３】
図１に示す透明シート４が枠材１を閉鎖して、巻取り軸６が図の右側の下方位置にあるとき、錘９は下降位置にある。
【００２４】
この状態から巻取り軸６をその軸端のハンドルまたは電動機で回転させて、透明シート４を巻き取っていくと、その巻取り動作に従って巻取り軸６が枠材１の外周に沿って上昇して行く。このとき、透明シート４と共に張力テープ７も巻き取られる。この状態では、透明シート４と張力テープ７の巻取り軸６から見た延在方向は同方向である。
【００２５】
巻取り軸６が上昇して、前述した折返し部材２ｃの位置を通過すると、張力テープ７は折返し部材２ｃによって折返されて、巻取り軸６に作用する透明シート４と張力テープ７の方向が反対になる。同時に巻取り軸６の回転によって張力テープ７が繰出される状態となり、錘９が上動を開始する（図３参照）。この状態では、張力テープ７の張力が巻装体１２の落下を防止し、巻き取られる透明シート４に張力を付与する。
【００２６】
更に巻取りが進行して、巻取り軸６が反対側のハウス側面にまで移動した図４の状態では、巻取り軸６から上方に伸びる張力テープ７の張力が巻装体１２の落下を防止し、かつ透明シート４に張力を付与した状態で、巻取りの継続を可能にしている。このようにして、巻装体が透明シートの一側縁の固定位置まで移動すると、巻取りが終了する。
【００２７】
巻き取った透明シートの展開は、巻取り軸６を反対方向に回転させることにより、上記と逆の動作で行われる。巻取り軸６の回転を停止すれば、巻装体１２はその位置で停止する。巻取り軸６を回転するハンドルないし電動機と巻取り軸６との間にウォーム減速機などの自己保持機能を有する回転伝達機構を設けておけば、巻取りまたは展開途中における巻装体１２の位置を保持できる。従って、ハウスの中や外の必要な位置に設けた温度センサの検出信号によって、巻取り軸６を回転する電動機の回転停止及び正逆転を制御するようにすれば、ハウスの開度の自動制御が可能である。
【００２８】
巻取り軸６を電動機で駆動するときは、図５に示すように、巻取り軸６の端部に軸受を介してモータマウント１３を軸支し、このモータマウントに搭載した電動機で巻取り軸６を駆動するのが機構的に有利である。しかし、この場合は、巻取り軸の回転反力でモータマウント１３が回転しないように、反力受部材を設ける必要がある。
【００２９】
図５には、この反力受部材として一端をハウス端部の枠材の小口面における幅方向中央上部に枢着し、他端をモータマウント１３に枢着した中間に屈折点１４を有する屈曲杆２２で形成した例が示されている。屈曲杆２２の両端の枢着部及び屈曲部の枢着軸は、ハウスの長手方向と平行である。反力受部材を伸縮杆とするときは、中間にテレスコピック構造（小径の杆を大径の管に自由移動可能に挿入した構造）を備えた伸縮杆の両端を、ハウスの小口面の幅方向中央上部とモータマウントとに枢着する。
【００３０】
図６はこの発明の第２実施例を示したもので、張力テープ７の張力付与機構の他の例を示したものである。この第２実施例のものでは、ハウスの張力テープ配置位置に近接してポスト２３を立設し、そのポストの上端に基端を連結した張力テープを第１錘１５に設けた第１動滑車１６、ポスト上端に設けた第１定滑車１７、第２錘１８に設けた第２動滑車１９及びポスト上端に設けた第２定滑車２０を介して先端を巻取り軸６に固定している。第２錘１８は１〜２キログラムの軽い錘であり、第１錘１５が透明シート４を全部巻き取ったときの巻装体の重量より大きな張力を付与するのに必要な重さの錘である。
【００３１】
この第２実施例の構造では、シート全閉状態から巻取り軸６がテープ７及びシート４を巻き取って行く初期の状態では、張力テープ７にほとんど張力が作用せず、巻取り軸６がハウスの天井部分に差掛かると、張力テープとシートの方向が巻取り軸に対して反対方向に切り替わり、巻取り軸６は第２錘１８を引き上げながらシート４を巻き取って行くことになる。この状態では、第２錘１８により小さな張力が張力テープ７に作用し、巻き取られるシート４がこの張力によって引かれた状態で巻き取られることになる。巻装体１２がハウスの天井部分を通過するときは、巻装体１２の重量が枠材１で受けられるため、張力テープ７に大きな張力を作用させる必要がない。
【００３２】
そして、巻装体がハウスの反対側の垂直な側面部分に差掛かったときは、第２錘１８が上端にまで移動し、巻装体１２の回転により繰出される張力テープは、第１錘１５を引上げ、従って張力テープ７には巻装体の重量を支えるのに十分な張力が作用することとなる。
【００３３】
このような構造を採用することにより、張力テープ７に作用する張力が３段階に変化し、巻取り軸６の巻取りトルクを軽減させることができる。
【００３４】
この発明の開閉装置は、ハウスが単棟式の場合及び連棟式の場合の両端の棟のシートの開閉構造として特に有効である。しかし連棟式のハウスの中間棟においても、この発明を用いることにより、天井の下り勾配の所での自重による巻装体の転がりやシートないしネットの皺の発生を防止できる。
【００３５】
連棟ハウスの中間棟では、巻取り軸の移動距離がハウスの天井部分だけとなって張力テープの繰出し長さが短くて済むので、張力テープに張力を付与する錘をハウスの棟を繋ぐ柱の所に配置することができ、また張力テープに直接（動滑車を介在させないで）錘を懸吊する構造を採用することができる。また中間棟では、ハウスの不使用時にシートないしネットを巻取った巻装体が棟の谷の部分で保管されることとなるが、この部分は棟を支える柱の頂部にあたり、枠材の強度の大きい箇所であるから、巻装体をこの部分で保持していても、風や雪によるハウスの倒壊などのおそれがなく、また一本の巻装体のみが保持されるので、雨水が溜まることもない。
【図面の簡単な説明】
【図１】第１実施例のハウスのシート閉鎖状態の正面図
【図２】第１実施例のハウスの部分側面図
【図３】第１実施例のハウスのシート開閉途中の正面図
【図４】第１実施例のハウスのシート全開直前状態の正面図
【図５】巻取り軸の反力受部材の例を示す正面図
【図６】第２実施例のハウスの正面図
【符号の説明】
１  枠材
２  通し材
2c  隣接する通し材
４  透明シート
６  巻取り軸
７  張力テープ
９  錘
10  動滑車
13  モータマウント
22  屈折杆
【図１】
0004064035.tif 000002
【図２】
0004064035.tif 000003
【図３】
0004064035.tif 000004
【図４】
0004064035.tif 000005
【図５】
0004064035.tif 000006
【図６】
0004064035.tif 000007